(57)【要約】【課題】紫外線硬化樹脂などにより器体の内壁面が汚されるのを防止しかつ紫外線硬化樹脂などを効率的に硬化し得るジェルネイル硬化装置を提供する。【解決手段】ジェルネイル硬化装置は、前面に指先の挿脱が可能な開口部１０を有する器体１の内部に開口部１０と連通する光照射室が形成されている。光照射室の上方には、指先の爪に塗布されたゲル状の紫外線硬化樹脂を硬化させることが可能な光を底部１１に向けて照射する光源部が設けられている。底部１１上には、開口部１０において前面が開放された嵌合凹部１６が形成されている。嵌合凹部１６の底面上には、前面の開放された部分より挿脱が可能な指置き台５が嵌合状態で定置されている。指置き台５の上面には、複数本の指が嵌る前後方向の複数の窪み部５０ａ〜５０ｄが、それぞれの先端部分が前記光源部４による光の照射領域に入るように形成されている。【選択図】図２
2013248034.tif 000002
【特許請求の範囲】
【請求項１】
前面に指先の挿脱が可能な開口部を有する器体の内部に前記開口部と連通する光照射室が形成され、前記光照射室の上方には、指先の爪に塗布されたゲル状の樹脂を硬化させることが可能な光を底部に向けて照射する光源部が設けられて成るジェルネイル硬化装置において、
前記底部上には、前記開口部において前面が開放された嵌合凹部が形成され、前記嵌合凹部の底面上には、前面の開放された部分より挿脱が可能な指置き台が嵌合状態で定置されており、前記指置き台の上面には、複数本の指が嵌る前後方向の複数の窪み部が、それぞれの先端部分が前記光源部による光の照射領域に入るように形成されて成るジェルネイル硬化装置。
【請求項２】
前記嵌合凹部の底面には、中心線に対して左右対称位置に凸条が前後方向にそれぞれ形成され、前記指置き台の下面には、各凸条の内側面と接するように各凸条に沿うリブが前後方向に形成されるとともに、各凸条の内側面と各リブの外側面との一方に凸子、他方に凸子が係脱可能な凹欠が、指置き台が嵌合凹部と嵌合状態になるときに互いに係合するように、それぞれ形成されている請求項１に記載されたジェルネイル硬化装置。
【請求項３】
前記指置き台の前端部の左右両側位置に第１の係合突片が、指置き台の後端部に第２の係合突片が、それぞれ外向きに突設され、器体の前面の開口部の左右両側位置には、指置き台が嵌合凹部と嵌合状態になるときに第１の係合突片と係合する第１の係合溝が、器体の底部には、指置き台が嵌合凹部と嵌合状態になるときに第２の係合突片と係合する第２の係合溝が、それぞれ形成されている請求項１に記載されたジェルネイル硬化装置。
【請求項４】
前記光源部は、複数個の紫外線ＬＥＤにより構成され、各紫外線ＬＥＤは、指置き台の各窪み部の先端部分に向けて複数個づつ配置されている請求項１に記載されたジェルネイル硬化装置。
【発明の詳細な説明】
【技術分野】
【０００１】
この発明は、指先の爪に塗布されたゲル状の樹脂に光を照射して硬化させることによりジェルネイルを形成するためのジェルネイル硬化装置に関する。
【背景技術】
【０００２】
従来、この種のジェルネイル硬化装置として、前面に指先の挿脱が可能な開口部を有する器体の内部に前記開口部と連通する光照射室を形成したものが知られており、前記光照射室の底部の上方には、指先の爪に塗布されたゲル状の樹脂（例えば紫外線硬化樹脂）を硬化させることが可能な光を底部に向けて照射する光源部が設けられている（例えば特許文献１参照）。
【先行技術文献】
【特許文献】
【０００３】
【特許文献１】実用新案登録第３１５１６９８号公報
【発明の概要】
【発明が解決しようとする課題】
【０００４】
上記のジェルネイル硬化装置によりジェルネイルを形成するには、爪の表面にゲル状の紫外線硬化樹脂などを塗布した後、その指先を器体の開口部より器体の内部の狭い光照射室へ挿入するが、光照射室への指先の挿入が適正に行われず、指先が光照射室を取り囲む器体の内壁面に接触すると、爪に塗布された紫外線硬化樹脂などが器体の内壁面に付着して汚すおそれがある。また、光源部に指向性のある紫外線ＬＥＤが用られている場合、光の照射位置に指先が正しく位置決めされなければ、光が指先に正しく当たらず、紫外線硬化樹脂の硬化が効率的に行われないという問題もある。
【０００５】
この発明は、上記問題に着目してなされたもので、指先を器体の開口部より器体内部の狭い光照射室へ適正に挿入しかつ適正に位置決めできるように構成することにより、紫外線硬化樹脂などにより器体の内壁面が汚されるのを防止しかつ紫外線硬化樹脂などを効率的に硬化し得るジェルネイル硬化を装置を提供することを目的とする。
【課題を解決するための手段】
【０００６】
この発明によるジェルネイル硬化装置は、前面に指先の挿脱が可能な開口部を有する器体の内部に前記開口部と連通する光照射室が形成され、前記光照射室の上方には、指先の爪に塗布されたゲル状の樹脂を硬化させることが可能な光を底部に向けて照射する光源部が設けられて成るものであり、前記底部上には、前記開口部において前面が開放された嵌合凹部が形成され、前記嵌合凹部の底面には、前面の開放された部分より挿脱が可能な指置き台が嵌合状態で定置されている。前記指置き台の上面には、複数本の指が嵌る前後方向の複数の窪み部が、それぞれの先端部分が前記光源部による光の照射領域に入るように形成されている。
【０００７】
この発明によるジェルネイル硬化装置により指先の爪に塗布されたゲル状の紫外線硬化樹脂などを硬化させてジェルネイルを形成するには、指置き台を器体の光照射室より引き出し、その指置き台上に指先を置いて各窪み部に対応する指先を嵌める。その状態で指置き台を器体の開口部より光照射室内へ挿入して嵌合凹部と嵌合状態にすると、指置き台は光照射室内の適正位置に定位する。指置き台の挿入時、指先は指置き台上に載せているので、指先が光照射室を取り囲む器体の内壁面に接触して爪に塗布された紫外線硬化樹脂などが器体の内壁面に付着して汚すことがない。また、指先は光源部による光の照射領域下に定位するので、たとえ、光源部に指向性のある紫外線ＬＥＤが用られても、光が指先に正しく当たり、紫外線硬化樹脂の硬化が効率的に行われる。
【０００８】
この発明の好ましい一実施態様においては、前記嵌合凹部の底面には、中心線に対して左右対称位置に凸条が前後方向にそれぞれ形成され、前記指置き台の下面には、各凸条の内側面と接するように各凸条に沿うリブが前後方向に沿って形成されるとともに、各凸条の内側面と各リブの外側面との一方に凸子、他方に凸子が係脱可能な凹欠が、指置き台が嵌合凹部と嵌合状態になるときに互いに係合するように、それぞれ形成されている
【０００９】
この実施態様によると、指置き台を器体内部の照射室内へ挿入するとき、指置き台のリブが凸条に案内されて指置き台が嵌合凹部の底面上を移動し、指置き台が嵌合凹部に嵌合状態となるとき、凸子と凹欠とが係合し、指置き台が底部上に抜止め状態で定位する。
【００１０】
この発明の他の好ましい実施態様においては、前記指置き台の前端部の左右両側位置に第１の係合突片が、指置き台の後端部に第２の係合突片が、それぞれ外向きに突設され、器体の前面の開口部の左右両側位置には、指置き台が嵌合凹部と嵌合状態になるときに第１の係合突片と係合する第１の係合溝が、器体の底部には、指置き台が嵌合凹部と嵌合状態になるときに第２の係合突片と係合する第２の係合溝が、それぞれ形成されている。
【００１１】
この実施態様によると、指置き台を器体の内部の光照射室内へ挿入したとき、指置き台の前端部の左右両側位置の第１の係合突片が器体の開口部の左右両側位置に形成された第１の係合溝と係合し、指置き台の後端部に形成された第２の係合突片が器体の底部に形成された第２の係合溝と係合するので、指置き台は器体の内部の光照射室に正しく位置決めされ、指先に光源部による光が正しく照射される。
【００１２】
この発明の上記した構成において、前記光源部は、複数個の紫外線ＬＥＤにより構成され、各紫外線ＬＥＤは、指置き台の各窪み部の先端部分に向けて複数個づつ配置されている。
【００１３】
この実施態様によると、指置き台の各窪み部に指先を嵌めて指置き台を光照射室へ挿入すれば、紫外線ＬＥＤより照射される光が指先に正しく当たるので、紫外線硬化樹脂の硬化が効率的に行われる。
【発明の効果】
【００１４】
この発明によれば、指置き台上に載せた指先は器体の開口部より器体内部の狭い光照射室へ適正に挿入されかつ適正に位置決めされるので、指先の爪に塗布された樹脂により器体の内壁面が汚されるのが防止され、紫外線硬化樹脂などの硬化が効率的に行われる。
【図面の簡単な説明】
【００１５】
【図１】この発明の一実施例であるジェルネイル硬化装置の斜視図である。
【図２】図１の実施例の指置き台の構成を示す斜視図である。
【図３】図１の実施例の正面図である。
【図４】図１の実施例の底面図である。
【図５】図３のＡ−Ａ線に沿う断面図である。
【図６】図１の実施例の構成を分解して示した分解斜視図である。
【図７】器体の底部上に位置決めされた指置き台の断面図である。
【図８】指置き台の底面図である。
【図９】指置き台が抜止め状態で定位する状態を拡大して示す平面図である。
【図１０】指置き台の第１の係合突片が器体の第１の係合溝に係合した状態を拡大して示す正面図である。
【図１１】指置き台の第１の係合突片を拡大して示す側面図である。
【発明を実施するための形態】
【００１６】
図１〜図４は、この発明の一実施例であるジェルネイル硬化装置の外観およびその構成を示している。図示例のジェルネイル硬化装置は、器体１が合成樹脂製であって全体が円盤形状に形成されている。器体１は、底部１１、上壁部１２、および周壁部１３により構成され、器体１の前面は指先の挿脱が可能な開口部１０になっている。器体１の内部には、図５および図６に示すように、底部１１と上壁部１２と周壁部１３とで囲まれた光照射室２が形成されている。光照射室２は開口部１０に連続し開口部１０と連通する。上壁部１２は内壁部１４と外壁部１５とで構成され、内壁部１４に複数個の紫外線ＬＥＤ４０より成る光源部４が配設されている。各紫外線ＬＥＤ４０は、底部１１に向けて紫外線を照射するように下方に向けて設置されている。この紫外線の照射を受けて指先の爪に塗布されたゲル状の紫外線硬化樹脂が硬化し、ジェルネイルが形成される。
【００１７】
器体１の周壁部１３の後面には電源入力端子を構成するソケット３が取り付けられ、このソケット３に電源コード３０の一端に取り付けられたプラグ３１が接続される。電源コード３０の他端には、コンセントに差し込まれるアダプター３２が取り付けられている。アダプター３２は交流電圧を直流電圧に変換して前記ソケット３へ供給する。
上壁部１２の外壁部１５には、３個の操作ボタン３３ａ〜３３ｃが配置されている。各操作ボタン３３ａ〜３３ｃは、電源スイッチと時間設定スイッチとを兼ねており、操作ボタン３３ａ〜３３ｃのいずれかが押されると、所定の時間だけ通電状態となって光源部４が点灯する。光源部４の点灯時間は、第１の操作ボタン３３ａが押されると３０秒に、第２の操作ボタン３３ｂが押されると４５秒に、第３の操作ボタン３３ｃが押されると６０秒に、それぞれ設定されている。点灯時間が経過すると、光源部４は自動的に消灯する。各操作ボタン３３ａ〜３３ｃには背照式の押釦スイッチが用いられており、押操作によって基板３５に実装されたＬＥＤ３４ａ〜３４ｃが点灯する。なお、点灯中の操作ボタンが押されると、通電が停止してＬＥＤが消灯する。
【００１８】
器体１の底部１１上には一定深さの嵌合凹部１６が形成され、この嵌合凹部１６の平坦な底面上に指置き台５が嵌合状態で定置されている。嵌合凹部１６は指置き台５の平面形状とほぼ一致する外形に形成されており、指置き台５を嵌合凹部１６に対して前方より挿脱することが可能なように前面が開放されている。
指置き台５の上面には、４本の指が嵌る前後方向に長い４個の窪み部５０ａ〜５０ｄが形成されている。各窪み部５０ａ〜５０ｄは、人差し指、中指、薬指、および小指にほぼ対応する長さを有し、指先を位置させる先端部分は他の部分に比べてやや深く形成されている。この実施例では、左右両手に対応させるために、中間の窪み部５０ｂ，５０ｃは同一長さに、また、外側の窪み部５０ａ，５０ｄはそれより短い同一長さに、それぞれ設定されている。各窪み部５０ａ〜５０ｄは先端部分は塞がれているが、基端部分は開放されている。
【００１９】
各窪み部５０ａ〜５０ｄに各指を嵌めたとき、各窪み部５０ａ〜５０ｄの先端部分に各指の指先がほぼ位置するもので、指置き台５が嵌合凹部１６と嵌合状態にあるとき、各窪み部５０ａ〜５０ｄの先端部分は前記光源部４による光の照射領域に入っている。光源部４は、４本の指の指先に個別に光を照射するための指毎の投光部４ａ〜４ｄにより構成されており、指置き台５が嵌合凹部１６と嵌合状態にあるとき、各窪み部５０ａ〜５０ｄの先端部分の真上に各投光部４ａ〜４ｄを構成する５本の紫外線ＬＥＤ４０が位置する。各投光部４ａ〜４ｄの各紫外線ＬＥＤ４０は、光の照射方向が下方を向くようにして上壁部１２の内壁部１４に取り付けられている。
【００２０】
前記嵌合凹部１６の平坦な底面上には、図６および図７に示すように、前後方向に長い２本の凸条１７，１７が中心線ｃに対して左右対称位置にそれぞれ形成されている。一方、指置き台５の下面には、図７および図８に示すように、各凸条１７，１７の内側面と接するように、各凸条１７，１７に沿う前後方向のリブ５１，５１が一体形成されている。指置き台５の下面の外周縁には、下方へ突出する縁取部５２が周設され、縁取部５２の前端部分の各リブ５１，５１の外側位置には前記凸条１７，１７が縁取部５２に突き当たらないように切欠部５３，５３が形成されている。
【００２１】
指置き台５の各リブ５１の外側面であって前端縁に近い位置には、半球状の凸子５４がそれぞれ一体形成されている。一方、底部１１の各凸条１７の内側面であって開放端に近い位置には、凸子５４が係脱可能な凹欠１８がそれぞれ形成されている。指置き台５が嵌合凹部１６と嵌合状態になるとき、図９に示すように、各リブ５１の凸子５４と各凸条１７の凹欠１８とが互いに係合し、指置き台５は抜止め状態となる。
【００２２】
指置き台５の前端部の左右両側位置には第１の係合突片６が形成され、一方、器体１の前面の開口部１０の左右両側位置には、指置き台５が嵌合凹部１６と嵌合状態になるときに第１の係合突片６と係合する第１の係合溝７が形成されている。第１の係合突片６は、図１０および図１１に示すように、縁取部５２の下面に一体形成されており、下方へ突き出る垂直片６１と外方へ突き出る水平片６２とを一体に備えたものである。第１の係合溝７は、嵌合凹部１６の底面に形成された縦溝部７１と縦溝部７１と連通する横溝部７２とから成るもので、縦溝部７１に第１の係合突片６の垂直片６１が、横溝部７２に第１の係合突片６の水平片６２が、それぞれ係入する。
【００２３】
また、指置き台５の後端部の幅中央には第２の係合突片８が外向きに形成され、一方、器体１の底部１１の後端部には、指置き台５が嵌合凹部１６と嵌合状態になるときに第２の係合突片８と係合する第２の係合溝９が形成されている。第２の係合突片８は、図８に示すように、縁取部５２に一体形成され、第２の係合溝９は、図４および図６に示すように、嵌合凹部１６の段差部分を貫通するように形成されている。
【００２４】
この発明によるジェルネイル硬化装置により指先の爪に塗布されたゲル状の紫外線硬化樹脂を硬化させてジェルネイルを形成するには、まず、指置き台５を器体１の光照射室２より引き出し、その指置き台５上に指先を置いて各窪み部５０ａ〜５０ｄに各指先を嵌める。その状態で指置き台５を器体１の開口部１０より光照射室２へ挿入して嵌合凹部１６と嵌合状態にすると、指置き台５は光照射室２の適正位置に定位する。
【００２５】
指置き台５を光照射室２へ挿入するとき、指置き台５のリブ５１が凸条１７に案内されて指置き台５が嵌合凹部１６の底面上を移動し、指置き台５が嵌合凹部１６に嵌合状態となるとき、凸子５４と凹欠１８とが係合し、指置き台５が底部１１上に抜止め状態で定位する。また、指置き台５の前端部の左右両側位置の第１の係合突片６が器体１の開口部１０の左右両側位置に形成された第１の係合溝７と係合し、指置き台５の後端部に形成された第２の係合突片８が器体１の底部１１に形成された第２の係合溝９と係合するので、指置き台５は器体１の内部の光照射室２に正しく位置決めされ、指先に光源部４による光が正しく照射される。また、指置き台５が正しく位置決めされるので、凸子５４と凹欠１８とが確実に係合する。
【００２６】
指置き台５の挿入時、指先は指置き台５上に載せているので、指先が光照射室２を取り囲む器体１の内壁面に接触することはなく、爪に塗布された紫外線硬化樹脂が器体１の内壁面に付着して汚すことがない。また、各指先は光源部４の各投光部４ａ〜４ｄによる光の照射位置に定位するので、各紫外線ＬＥＤ４０からの光が指先に正しく当たり、紫外線硬化樹脂の硬化が効率的に行われる。
【符号の説明】
【００２７】
１    器体
２    光照射室
４    光源部
５    指置き台
６    第１の係合突片
７    第１の係合溝
８    第２の係合突片
９    第２の係合溝
１０  開口部
１１  底部
１６  嵌合凹部
１７  凸条
１８  凹欠
５０ａ〜５０ｄ  窪み部
５１  リブ
５４  凸子
【図１】
2013248034.tif 000003
【図２】
2013248034.tif 000004
【図３】
2013248034.tif 000005
【図４】
2013248034.tif 000006
【図５】
2013248034.tif 000007
【図６】
2013248034.tif 000008
【図７】
2013248034.tif 000009
【図８】
2013248034.tif 000010
【図９】
2013248034.tif 000011
【図１０】
2013248034.tif 000012
【図１１】
2013248034.tif 000013